(57)【特許請求の範囲】
【請求項１】
少なくとも、上弦材と、下弦材と、上下両弦材間に介設される斜材とによって形成される足場用梁枠において、梁枠の前記斜材間に支柱材を設け、該支柱材の上端部は開口して、該開口部に上方側の足場支柱を継ぎ足すための連結ピンを着脱可能に取り付けると共に、前記支柱材の上端は、梁枠上に足場板や床付き布枠を敷設するのに支障を来すことがない高さに上弦材の上側面から突出してなることを特徴とする足場用梁枠。
【請求項２】
連結ピンは、ピン本体中央部の位置決め用径大軸部を隔てて上側ピン部と下側ピン部とを形成し、上側ピン部は、足場支柱の下端部内に嵌合され、下側ピン部は、梁枠の支柱材の上端部内に嵌合されると共に、前記支柱材と下側ピン部とを貫通するロックピンによって前記支柱材に固定されるようになっていることを特徴とする請求項１に記載の足場用梁枠。
【請求項３】
支柱材に取り付けられる前記連結ピンの前記上側ピン部に上方側の足場支柱の下端部が嵌合されて該上方側足場支柱の下端が前記位置決め用径大軸部の上端で受け止められて該上端に形成される支柱受け止め段部と、梁枠の端部の下方側の端部足場支柱の上端開口部に取り付けられる連結ピンに上方側の端部足場支柱の下端部が嵌合されて該上方側端部足場支柱の下端が前記連結ピンの前記位置決め用径大軸部の上端、又は前記下方側端部足場支柱の上端で受け止められて該上端に形成される端部足場支柱受け止め段部とが梁枠上に同一レベルの高さに形成されてなることを特徴とする請求項２に記載の足場用梁枠。
【発明の詳細な説明】
【技術分野】
【０００１】
本発明は、枠組足場や一側足場の出入り口等に使用される梁枠に関するものである。
【背景技術】
【０００２】
例えば枠組足場の下部に資材等の運搬用トラックの搬入路を設けるような場合、足場の下部構面の一部分を開口部にして、その開口部の上部に梁枠を架け渡し、枠組足場が組まれるようになっている。この梁枠は、少なくとも、上弦材と、下弦材と、上下両弦材間に介設される斜材とによって形成されており、そして梁枠１の中間所要部には、枠組足場の足場支柱を継ぎ足すための連結ピンが設けられている。
【０００３】
従来の梁枠として、特許公報等の具体的な公知文献を挙げることはできないが、従来の梁枠にあっては、足場支柱を継ぎ足すための連結ピンが梁枠の中間所要部に溶接によって上弦材から垂直に突出するように一体に設けられている。
【発明の開示】
【発明が解決しようとする課題】
【０００４】
従来の梁枠では、連結ピンが、上記のように梁枠の中間所要部に溶接により一体に設けられて、上弦材から垂直上向きに例えば１８０ｍｍも突出しているため、梁枠の上に足場板や床付き布枠を敷設して通路あるいはステージを形成するような場合に、梁枠の支柱材上端部に設けてある連結ピンが、通路面やステージ面から上方に突出して危険な障害物となり、また連結ピンが突出する部分には足場板や床付き布枠を敷設できないため、連結ピンを挟んで隣り合う足場板間や床付き布枠間に隙間ができて、その隙間から工具や資材等が落下するといった問題がある。
【０００５】
本発明は、上連結ピンを梁枠に対し着脱可能として、梁枠上に足場板や床付き布枠を敷設する時には連結ピンを取り外すことにより、上記のような問題を解消できるようにした梁枠を提供することを目的とする。
【課題を解決するための手段】
【０００６】
上記課題を解決するための手段を、後述する実施形態の参照符号を付して説明すると、請求項１に係る発明は、少なくとも、上弦材２と、下弦材３と、上下両弦材２，３間に介設される斜材４とによって形成される足場用梁枠において、梁枠１の前記斜材４，４間に支柱材６を設け、該支柱材６の上端部は開口して、該開口部６ｂに上方側の足場支柱７を継ぎ足すための連結ピン８を着脱可能に取り付けると共に、前記支柱材６の上端６ａは、梁枠１上に足場板２１や床付き布枠２２を敷設するのに支障を来すことがない高さｈに上弦材２の上側面から突出してなることを特徴とする。
【０００７】
請求項２は、請求項１に記載の足場用梁枠１において、連結ピン８は、ピン本体８ｏ中央部の位置決め用径大軸部８ｃを隔てて上側ピン部８ａと下側ピン部８ｂとを形成し、上側ピン部８ａは、足場支柱７の下端部内に嵌合され、下側ピン部８ｂは、梁枠１の支柱材６の上端部内に嵌合されると共に、前記支柱材６と下側ピン部８ｂとを貫通するロックピン１０によって前記支柱材６に固定されるようになっていることを特徴とすることを特徴とする。
【０００８】
請求項３は、請求項２に記載の足場用梁枠において、支柱材６に取り付けられる前記連結ピン８の前記上側ピン部８ａに上方側の足場支柱７の下端部が嵌合されて該足場支柱７の下端が前記位置決め用径大軸部８ｃの上端で受け止められて該上端に形成される支柱受け止め段部８Ａと、梁枠１の端部の下方側の端部足場支柱７の上端開口部に取り付けられる連結ピン２８に上方側の端部足場支柱７の下端部が嵌合されて該上方側の端部足場支柱７の下端が前記連結ピン２８の前記位置決め用径大軸部８ｃの上端、又は前記下方側の端部足場支柱７の上端で受け止められて該上端に形成される端部足場支柱受け止め段部２８Ａとが梁枠１上に同一レベルの高さに形成されてなることを特徴とする。
【発明の効果】
【０００９】
上記解決手段による発明の効果を、後述する実施形態の参照符号を付して説明すると、請求項１に係る発明の梁枠１によれば、梁枠１の斜材４，４間に支柱材６を設け、支柱材６の上端部は開口して、この開口部６ｂに足場支柱７を継ぎ足すための連結ピン８を着脱可能に取り付けているから、梁枠１上に足場板２１や床付き布枠２２を敷設して通路やステージを形成するような時には連結ピン８を取り外すことによって、通路やステージ上面に連結ピン８が突出しないため、使用上の安全を期することができ、また梁枠１の上弦材２上に足場板２１や床付き布枠２２を隙間なく敷設することができ、工具や資材等が落下するような心配がない。
又、支柱材６の上端６ａを、足場板２１や床付き布枠２２の敷設に支障を来たない高さｈだけ、上弦材２の上側面から突出しているから、梁枠１上に足場板２１や床付き布枠２２を敷設する際になんら支障を来すようなことがなく、使用上安全である。
しかも、梁枠１の前記斜材４，４間に支柱材６を設けて、該支柱材６の上端６ａが上弦材２の上側面から突出して該上端開口部６ｂに取り付けた連結ピン８を介して上方側の足場支柱７を継ぎ足すようにしているため、該足場支柱７側の荷重は連結ピン８を介して支柱材６にかかり、上弦材２には直接的にかかることがないため、上弦材２を変形させたり損傷させるなどの不都合がない。
【００１０】
請求項２に係る発明の梁枠１によれば、連結ピン８は、ピン本体８ｏ中央部の位置決め用径大軸部８ｃを隔てて上側ピン部８ａと下側ピン部８ｂとを形成しているから、支柱材６への取付けにあたっては、下側ピン部８ｂを支柱材６の上端部内に嵌合すればよいし、この下側ピン部８ｂと支柱材６とにわたってロックピン１０を貫通させることによって、連結ピン８を支柱材６に固定させることができる。
【００１１】
請求項３に係る発明の梁枠１によれば、支柱材６に取り付けられる前記連結ピン８の前記上側ピン部８ａに上方側の足場支柱７の下端部が嵌合されて該足場支柱７の下端が前記位置決め用径大軸部８ｃの上端で受け止められて該上端に形成される支柱受け止め段部８Ａと、梁枠１の端部の下方側の端部足場支柱７の上端開口部に取り付けられる連結ピン２８に上方側の端部足場支柱７の下端部が嵌合されて該上方側の端部足場支柱７の下端が前記連結ピン２８の前記位置決め用径大軸部８ｃの上端、又は前記下方側の端部足場支柱７の上端で受け止められて該上端に形成される端部足場支柱受け止め段部２８Ａとが梁枠１上に同一レベルの高さに形成されてなるため適正な足場の構築を行なうことができる。
【発明を実施するための最良の形態】
【００１２】
以下に本発明の好適な一実施形態を図面に基づいて説明すると、図１の(a) は本発明に係る３スパン型梁枠を示す正面図、(b) はその平面図であり、図２の(a) は図１の(a) の矢印Ｘで示す部分の拡大正面図、(b) は同矢印Ｘで示す部分の拡大平面図、(c) は図１の(a) の矢印Ｙで示す部分の拡大正面図、(d) は(c) の平面図であり、図３は梁枠の支柱材から連結ピンを取り外した状態を示す説明図である。これらの図において、１は本発明に係る梁枠を示す。
【００１３】
この３スパン型梁枠１は、上弦材２と、下弦材３と、上下両弦材２，３間に介設される斜材４、垂直材５及び支柱材６とによってラーメン構造に形成され、そして支柱材６は、図１の(a) に示すように上弦材２を三等分した２つの分割点に夫々設けてあり、各支柱材６の上端部は開口されていて、この開口部３ｂには、図５〜図７に示すような足場支柱７を上方へ継ぎ足すための連結ピン８が着脱可能に取り付けられており、また上弦材２の両端部には、足場支柱７に接続する接続部９が夫々設けられている。この３スパン型梁枠１の１スパンは、図１の(a) において隣り合う支柱材６，６の芯間距離、また支柱材６と足場支柱７との芯間距離であって、例えば１８２９ｍｍとされる。
【００１４】
梁枠１の上弦材２は等分された３つの弦部材２ａ，２ａ，２ａからなり、また下弦材３も３つの弦部材３ａ，３ａ，３ａからなるもので、各支柱材６は、左右各端側の上下弦部材２ａ，３ａと中間の上下弦部材２ａ，３ａとの間に設けてある。また左右各端側の上下弦部材２ａ，３ａ間に複数の斜材４が介設され、中間の上下弦部材２ａ，３ａ間には複数の垂直材５が介設されている。尚、弦部材２ａ，３ａ、斜材４、垂直材５及び支柱材６はいずれも鋼管によって形成されている。
【００１５】
図３から分かるように、支柱材６の上端６ａは、上弦材２の上側面から僅かに突出しているが、その突出高さｈは例えば１０ｍｍで、一般に使用される足場板や床付き布枠の厚みに比べてはるかに小さい。
【００１６】
連結ピン８は、図３に示すように、ピン本体８ｏの上下軸方向中央部に位置決め用径大軸部８ｃを有し、この径大軸部８ｃを隔てて上側ピン部８ａと下側ピン部８ｂとを形成したもので、上側ピン部８ａには、足場支柱７を継ぎ足す際にその支柱７の下端部が嵌合され、そして下側ピン部８ｂは、図２の(a) に示すように、梁枠１の支柱材６の上端部内に嵌合されて位置決め用径大軸部８ｃで位置決めされると共に、支柱材６と下側ピン部８ｂとを貫通するロックピン１０により支柱材６に固定されるようになっている。また、この連結ピン８の位置決め用径大軸部８ｃの上端面は、支柱継ぎ足し時に上側ピン部８ａに嵌合される足場支柱７の下端を受ける支柱受け段部８Ａとなる。
【００１７】
図３において、１１は連結ピン８の下側ピン部８ｂの下部側に設けられたピン挿通孔、１２はロックピン１０を挿通させるために支柱材６の上端部に設けられたピン挿通孔、また１３はロックピン１０の抜け出しを阻止するためにロックピン１０の先端部のピン孔１０ａに挿着されるスナップピンである。
【００１８】
また、上弦材２の両端部に夫々設けられた接続部９は、図２の(c) ，(d) に概略示すように、鋼板をプレス加工して箱枠状に形成されたもので、足場支柱７に固着されたフランジ部材１４を嵌入させる水平開口部１５と、垂直方向に貫通する係合孔１６とを有する。しかして、上弦材２の各端部を支柱７に接続するには、図２の(c) ，(d) に示すように、足場支柱７に設けられたフランジ部材１４を接続部９の水平開口部１５に嵌入させた状態で、楔片１７を接続部９の係合孔１６からフランジ部材１４の係合孔１８に亘って挿着することにより、上弦材２の各端部を支柱７に連結するようになっている。
【００１９】
また、図２の(a) ，(b) に示すように、支柱材６には上端部及び下端部に、複数並設された梁枠１の横方向に対向する支柱材６，６どうしを横ステー２０（図５〜図７参照）によって連結するためのフランジ部材１９が固着されており、各フランジ部材１９には係合孔１９ａが設けてある。尚、横ステー２０の両端部に夫々、前記した上弦材２の接続部９と同様な接続部が設けてあり、従ってこの梁枠１の支柱材６と横ステー２０との連結は、図２の(c) ，(d) によって説明した上弦材２の端部と枠組足場の足場支柱７との連結と同様である。
【００２０】
図４の(a) は本発明に係る２スパン型梁枠１を示す正面図、(b) は１．５スパン型梁枠１を示す正面図である。(a) に示す２スパン型梁枠１は、長さ方向中央部の１箇所に支柱材６を有するもので、両端側に接続される枠組足場の足場支柱７，７間に２スパンを形成し、また(b) に示す１．５スパン型梁枠１は、支柱材６と一端側にある枠組足場の足場支柱７との間に１スパンを形成し、他端側にある枠組足場の支柱７との間に０．５スパンを形成し、各スパンは例えば１８２９ｍｍとされる。図４の(a) に示す２スパン型梁枠１及び(b) に示す１．５スパン型梁枠１の夫々の支柱材６には上端部に連結ピン８が着脱可能に取り付けられており、この連結ピン８及びこれの取付構造については、図１〜図３に示す３スパン型梁枠１と全く同様であるので、その説明を省略する。
【００２１】
図５は、枠組足場Ｗの下部に、例えば資材等運搬用トラックの搬入路を設けるために、足場Ｗの下部構面の一部分を開口部Ｏにして、その開口部Ｏの上部に梁枠１を複数本並列状に架け渡し、これらの梁枠１上にアルミ押出形材製の足場板２１を敷設してステージを形成した例を示したものであるが、ここでは、梁枠１の各支柱材６の上端部に着脱可能に設けられる連結ピン８を、取り外すことなく取り付けたまま、上弦材２の上に足場板２１を敷設した場合を示す。(a) は正面図、(b) は平面図である。尚、この図５に例示する梁枠１は、図４の(a) に示される２スパン型梁枠１とする。
【００２２】
このように梁枠１の各支柱材６に連結ピン８を取り付けたままの状態では、各連結ピン８が、図５の(a) に示すように、足場板２１によって形成されるステージの上面から連結ピン８が突出するため、その連結ピン８が危険な障害物となると共に、図５の(b) に示すように連結ピン８が突出する部分には足場板２１を敷設できないので、連結ピン８を挟んで隣り合う足場板２１，２１間に隙間Ｓができて、その隙間Ｓから工具や資材等が落下するおそれがある。
【００２３】
図６は、図５に示す場合の不都合を解消するために、各支柱材６から連結ピン８を取り外した梁枠１上に多数のアルミ押出形材製足場板２１を敷設してステージを形成した場合を示す。このように各支柱材６から連結ピン８を取り外した場合は、足場板２１によって形成されるステージの上面から連結ピン８が突出しないため安全であると共に、梁枠１の上弦材２上に足場板２１を隙間なく敷設することができ、工具や資材等が落下するような心配がなくなる。尚、支柱材６から連結ピン８を取り外すと、図３に示すように支柱材６の上端６ａが梁枠１の上弦材２上側面から僅かにｈだけ（例えば１０ｍｍ）突出するが、アルミ押出形材製の足場板２１は高さが３０ｍｍ以上あって、断面が下向きコ字状であるから、支柱材６の上端突出部分ｈは足場板２１内に納まってしまい、何ら問題はない。
【００２４】
また、この支柱材６の上端突出部分ｈは、足場支柱の上端部に設けられる継ぎ足し用連結ピンと同一レベルを保つに必要な高さでもある。即ち、図８には足場支柱７の上端部に突設された継ぎ足し用連結ピン２８を示しており、この連結ピン２８に同図の仮想線図示のように足場支柱７の下端部が嵌合して継ぎ足されるわけであるが、この継ぎ足し足場支柱７の下端を受ける連結ピン２８の支柱受け段部２８Ａと、図２の(a) に示すように梁枠１の支柱材６の上端部に取り付けられる連結ピン８の支柱受け段部８Ａとは同一レベルにあることが必要であり、しかして図２の(a) に示すように支柱材６の上端突出高さｈに連結ピン８の位置決め用径大軸部８ｃの高さｎを加えることにより、支柱材６のフランジ部材１９から連結ピン８の支柱受け段部８Ａまでの高さＨを、図８に示す足場支柱７のフランジ部材１４から継ぎ足し用連結ピン２８の支柱受け段部２８Ａまでの高さＨと同じにすることができ、それにより梁枠１の支柱材６に継ぎ足される足場支柱７と、この梁枠１の端部に接続される足場支柱７に継ぎ足される足場支柱７とを同一レベルに配設することができる。
【００２５】
また、支柱材６の上端６ａを上弦材２の上側面から突出させることにより、この支柱材６に連結ピン８を取り付けて足場支柱７を継ぎ足した時に、足場支柱７側の荷重は連結ピン８を介して支柱材６にかかり、上弦材２には直接的にかかることがないため、上弦材２を変形させるなどの不都合がない。因みに、支柱材６の上端６ａを上弦材２の上側面と面位置になるようにした場合は、支柱材６のみならず、上弦材２にも足場支柱７側の荷重がかかることになるため、上弦材２を変形させたり、損傷させるおそれがある。
【００２６】
図６の(b) において、２２は枠組足場Ｗ側の横ステー２４に架け渡された床付き布枠２２を示し、２３は同横ステー２４に架け渡された幅の狭い床付き布枠を示す。
【００２７】
図７は、図６の場合と同じく各支柱材６から連結ピン８を取り外した状態で、その梁枠１上に多数の床付き布枠２２を敷設してステージを形成した場合を示している。この場合も、各支柱材６の上端６ａが梁枠１の上弦材２上側面から突出した状態となるが、その突出高さは、せいぜい１０ｍｍ程度であるから、ステージを使用する上で何ら問題はない。図７の(b) において、枠組足場Ｗ側の横ステー２４には、床付き布枠２２，２３が架け渡されている。
【図面の簡単な説明】
【００２８】
【図１】(a) は本発明に係る３スパン型梁枠を示す正面図、(b) は平面図である。
【図２】(a) は図１の(a) の矢印Ｘで示す部分の拡大正面図、(b) は同矢印Ｘで示す部分の拡大平面図、(c) は図１の(a) の矢印Ｘで示す部分の拡大正面図、(d) は(c) の平面図である。
【図３】梁枠の支柱部材から連結ピンを取り外した状態を示す説明図である。
【図４】(a) は本発明に係る２スパン型梁枠を示す正面図、(b) は１．５スパン型梁枠を示す正面図である。
【図５】支柱材に連結ピンを取り付けたままでの梁枠の使用形態を示すもので、(a) は梁枠上に足場板を敷設した状態の正面図、(b) はその平面図である。
【図６】支柱材から連結ピンを取り外した状態での梁枠の使用形態を示し、(a) は梁枠上に足場板を敷設した状態の正面図、(b) はその平面図である。
【図７】支柱材から連結ピンを取り外した状態での梁枠の使用形態を示し、(a) は梁枠上に床付き布枠を敷設した状態の正面図、(b) はその平面図である。
【図８】足場支柱の上端部に設けられた連結ピンを示す説明図である。
【符号の説明】
【００２９】
１            梁枠
２            上弦材
３            下弦材
６            支柱材
Ｗ            枠組足場
７            枠組足場の足場支柱
８            連結ピン
８ａ          上側ピン部
８ｂ          下側ピン部
８ｏ          位置決め用径大軸部
１０          ロックピン
【図１】
0005114292.tif 000002
【図２】
0005114292.tif 000003
【図３】
0005114292.tif 000004
【図４】
0005114292.tif 000005
【図５】
0005114292.tif 000006
【図６】
0005114292.tif 000007
【図７】
0005114292.tif 000008
【図８】
0005114292.tif 000009